(57)【要約】      （修正有）【課題】小型であり使用時も持ち運び時にも嵩張らず、かつ用紙を確実に固定し、用紙の取り付け取出しも迅速にできる使い方の簡易な紙類のバインダーを提供する。【解決手段】表表紙１と、裏表紙３と、前記表表紙と裏表紙の間に設けた紙類保持部２とからなる紙類のバインダーであり、紙類保持部２は、基板４の上部及び下部に、保持杆固定部６と保持杆係止部５を構成し、保持杆固定部６に保持杆７の一端を固定し、保持杆係止部５に保持杆７の他端を着脱自在に係止して、保持杆７を基板４に対して起伏自在に取り付けると共に、保持杆７の保持杆係止部５への係止状態で保持杆７と基板４の表面の間に間隙が形成され、この間隙に用紙を配置して保持杆７で保持する紙類のバインダー。【選択図】図２
0003175882.tif 000002
【実用新案登録請求の範囲】
【請求項１】
表表紙と、裏表紙と、前記表表紙と裏表紙の間に設けた紙類保持部とからなる紙類のバインダーであり、
前記紙類保持部は、基板とこの基板の上部及び下部に設けた保持杆固定部と保持杆係止部によって構成し、前記保持杆固定部に保持杆の一端を固定し、前記保持杆係止部に保持杆の他端を着脱自在に係止して、保持杆を基板に対して起伏自在に取り付けると共に、前記保持杆の保持杆係止部への係止状態で保持杆と基板の表面の間に間隙が形成され、この間隙に紙類を配置して保持杆で保持することを特徴とする紙類のバインダー。
【請求項２】
前記紙類をＡ４判の大きさとし、このＡ４判の紙類を二つ折りにしてＡ５判の大きさとして、前記保持杆と基板の表面の間に形成された間隙に配置して保持することを特徴とする請求項１記載の紙類のバインダー。
【考案の詳細な説明】
【技術分野】
【０００１】
本考案は、簡易な構成でありながら確実に紙類を保持できる紙類のバインダーに関するものである。
【背景技術】
【０００２】
従来より存在する手帳は各紙葉が綴じられているため自由度が低く情報の管理には不向きであった。そのため各紙葉を着脱できるリング式のフォルダーが提案されたが、リングが必要なことから手軽に携帯するには大きすぎるという問題点があった。
【０００３】
このような点に鑑み特許文献１記載の紙類のバインダーが提案された。この発明は、本体（１）に折り込みを入れ、その中央部に爪（３）・爪（４）を上下２箇所、切り抜き加工し、その爪にＢ５あるいはＡ４サイズ用紙を噛ませることにより固定する折りたたみ式携帯手帳型用紙フォルダーである。
【先行技術文献】
【特許文献】
【０００４】
【特許文献１】特開２００５−２６２８５１号公報
【０００５】
前記特許文献１記載の発明は、Ｂ５あるいはＡ４の用紙を等分に三つ折りにして複数枚を本体にセットし畳むことで手帳的な使い方とノート等の各種使い方をできるため、持ち運び便利になり常備できるという効果がある。
【考案の概要】
【考案が解決しようとする課題】
【０００６】
しかしながら、前記折り畳み式携帯手帳型用紙フォルダーでは、本体（１）に折り込みを入れ、その中央部に上下２箇所の爪（３、４）に用紙を噛ませることにより固定するため、用紙が確実に固定されず、使用中に外れるという問題点があった。
また、本体（１）に用紙全体を三つ折りにしてセットして、使用時に本体を折り畳むものであるため、折り畳んだ時には嵩張るのであった。
【０００７】
本考案は、上記のような従来の用紙フォルダーの問題点を解消したもので、小型であり使用時も持ち運び時にも嵩張らず、かつ用紙を確実に固定し、用紙の取り付け取出しも迅速にできる使い方の簡易な紙類のバインダーを提供するものである。
【課題を解決するための手段】
【０００８】
請求項１に記載の考案は、表表紙と、裏表紙と、前記表表紙と裏表紙の間に設けた紙類保持部とからなる紙類のバインダーであり、前記紙類保持部は、基板とこの基板の上部及び下部に設けた保持杆固定部と保持杆係止部によって構成し、前記保持杆固定部に保持杆の一端を固定し、前記保持杆係止部に保持杆の他端を着脱自在に係止して、保持杆を基板に対して起伏自在に取り付けると共に、前記保持杆の保持杆係止部への係止状態で保持杆と基板の表面の間に間隙が形成され、この間隙に紙類を配置して保持杆で保持する紙類のバインダーである。
【０００９】
請求項２に記載の考案は、前記紙類をＡ４判の大きさとし、このＡ４判の紙類を二つ折りにしてＡ５判の大きさとして、前記保持杆と基板の表面の間に形成された間隙に配置して保持する紙類のバインダーである。
【考案の効果】
【００１０】
請求項１記載の紙類のバインダーによれば、保持杆を紙類保持部の基板に起伏自在に取り付け、かつ保持杆と基板の表面の間に間隙を形成したため、この間隙に大きな紙類を小さく折り畳んで容易に挟むことができ、かつ保持杆で確実に保持することができる。
【００１１】
また、軽量で嵩張らない構成であるため携帯に便利であり、さらに使い方が簡易で紙類を確実に固定し紙類の取り付け取出しも迅速にできる等の効果を奏する。
【００１２】
請求項２記載の紙類のバインダーによれば、使用する紙類をＡ４判の大きさとし、このＡ４判の長辺の中央から二つ折りしてＡ５判の大きさとして、前記保持杆と基板の表面の間に形成された間隙に挟んで保持するため、最も広く使用されているＡ４判の紙を、小さく折り畳んで紙面の両面を有効に使用することができ、また必要に応じて大きく広げて使用することもできる。
【図面の簡単な説明】
【００１３】
【図１】本考案の実施形態１の紙類のバインダーの全体斜視図
【図２】本考案の実施形態１の紙類のバインダーの展開図
【図３】図２のＡ−Ａ断面図と一部拡大図
【図４】本考案の実施形態１の紙類のバインダーの使用状態の斜視図
【図５】本考案の実施形態１の紙類のバインダーに使用する紙類の一例の表面図（ａ）と裏面図（ｂ）
【考案を実施するための形態】
【００１４】
本考案の実施形態１を図１乃至図５に基づいて説明する。
表表紙１と裏表紙３の間に紙類保持部２を形成する。すなわち、表表紙１の一側端全面に亘って、背表紙に当たる基板４を連設し、この基板４の一側端全面に亘って裏表紙３を連設して構成する。
【００１５】
表表紙１と裏表紙３及び基板４は一体に構成されているが、その材質は板状の合成樹脂であり、表表紙１と裏表紙３の大きさはそれぞれＡ６判の大きさの用紙の表紙として適当な大きさである。なお、前記大きさと材質は適宜変更できるものする。
また、表表紙１と裏表紙３の内側にそれぞれ見開き１ａ、３ａを構成し、見開き３ａの一端には筆記具入れ９を構成した。図中符号８はカバーであり、８ａはフックである。
【００１６】
前記紙類保持部２は、前記基板４と、この基板４の下端に構成した保持杆固定部６と、上端に構成した保持杆係止部５からなる。
なお、保持杆固定部６を基板４の上端に構成し、保持杆係止部５を下端に構成しても良い。
【００１７】
前記保持杆係止部５は弾性体材質よりなる略直方体形状であり、中央に保持杆７を挿入して係止するための溝５３が上下方向に削設されている。この溝５３の上方の挿入口５３ａの幅は、保持杆７の直径より僅かに狭くなっているが、溝５３の下部には、保持杆７を嵌合するために保持杆７の直径と略同一径の嵌合部５３ｂが形成されている。
そのため、保持杆７が溝５３の上方から押圧挿入されると挿入口５３ａが一時的に弾性変形し、さらに加圧されることによって保持杆７は嵌合部５３ｂに嵌合して固定される。これによって、保持杆７の上端は保持杆係止部５に着脱自在に係止されるのである。
【００１８】
前記保持杆固定部６は弾性体材質よりなる略直方体形状であり、その中心部に基板４の表面と平行な貫通孔６４が上下方向に形成されている。一方、保持杆７の下端は保持杆７の上端より僅かに直径が大となっているので、保持杆７の取り付けに際しては、保持杆７の下端を回転軸方向に沿って前記貫通孔６４に圧入して固定するのである。
これによって、保持杆７の下端は保持杆固定部６に確実に固着され、保持杆７は保持杆固定部６を中心に基板４に対して起伏自在となるのである。
【００１９】
また、保持杆７の一端を保持杆固定部６に固定し、他端を保持杆係止部５に係止した状態では、保持杆７と基板４の表面の間に所望の間隙４１が形成されるように、前記溝５３や貫通孔６４の位置、大きさ等を決定するものとする。
この間隙４１に用紙１０を挿入し配置して保持杆７で保持する。このとき、保持杆７は用紙１０を直接押圧して基板４に固定するのではなく、保持杆７は用紙１０の間隙４１からの脱落を防ぐために用紙１０を保持するのである。
したがって、用紙１０は、表表紙１、裏表紙３、基板４及び保持杆７によって確実に保持され、かつ必要に応じて容易に間隙４１から抜き出したり、差し替えたりして使用することができる。
【００２０】
次に、用紙について説明する。
本実施形態の用紙１０はＡ４判であり、各々の表面（ａ）と裏面（ｂ）に、予め各辺の中点を各辺に平行な縦の折線１５と横の折線１６で連結して紙面を４等分して、８個の分割紙面１１ａ、１１ｂ、１１ｃ、１１ｄ、１２ａ、１２ｂ、１２ｃ、１２ｄを構成してある。
この分割紙面１１ａ、１１ｂ・・の内側に、携帯カメラなどでの撮影を容易とするためのガイド枠１３ａ、１３ｂ、１３ｃ、１３ｄ、１４ａ、１４ｂ、１４ｃ、１４ｄを構成してある。なお、この用紙１０は、Ａ４判に限らずＢ５判も使用できる。
【００２１】
前記用紙１０の分割紙面１１ａ、１１ｂ、１１ｃ、１１ｄ、１２ａ、１２ｂ、１２ｃ、１２ｄには、それぞれ１/８，２/８，３/８，４/８，５/８，６/８，７/８，８/８の番号が順番に記載されていて、この順序にしたがって、メモ等を取っていくとデーターが時系列的に整理できる。
また、用紙１０は、無地用紙や予め年月日等が印刷され予定を書き込めるように構成されたカレンダー用紙、予め簿記記録に必要な項目枠で構成された簿記用紙などが使用できる。
【００２２】
上記のように構成した実施形態１の作用を説明する。
用紙１０を横の折線１６で二つに折り、Ａ５判の大きさにして、図４の仮想線で示すように、保持杆７を保持杆係止部５から外して、上方に起こしてから、用紙１０の中央を基板４の上に置いた後、保持杆７を保持杆係止部５に係止して保持する。あるいは、保持杆７を保持杆係止部５に係止した状態で用紙１０を前記間隙４１に挿入して保持する。
このとき、用紙１０を縦の折線１５で折り目を付けて二つ折りにして保持する。これによって用紙１０は確実に保持される（図４参照）。
【００２３】
その後表表紙１を綴じて図１の状態で携帯する。使用する際は、表表紙１を開いて図４の状態として、分割紙面１１ａ、１１ｂにメモ等を記載する。分割紙面１１ａ、１１ｂに記載する余白がなくなったら、用紙１０を紙類保持部２より抜き出してひっくり返し、下方の分割紙面１１ｃ、１１ｄを表にして、再び紙類保持部２で保持する。
このように、用紙１０の裏と表を順序良く使用することで、紙の無駄が省けると共に、メモ等の記載内容の順序が把握できるので整理しやすいのである。
これら、用紙１０以外にも、チラシや地図、その他の書類を折り畳んで上記の要領で保持杆７で保持して収納や携帯ができる。
【００２４】
また、表表紙１と裏表紙３の内側にそれぞれ構成したポケット１ｂ、３ｂにメモ類、チケット入場券、航空券、切符、領収書、新聞の切り抜き、はがき、写真プリントなども挟めるようになっている。
【００２５】
以下に本考案の効果を述べる。
用紙や資料等を紙類のバインダーに収納しポケットなどに入れ常に携帯できることにより：
（１）必要な紙情報に常にアクセスできるため、取りに行く手間、探す手間が省ける。
（２）四つ折にした用紙への記入は、紙類のバインダーの表表紙または裏表紙を下敷きとした状態で行えるが、用紙を保持杆より外して折り線より広げれば、元の大きさのＡ４判あるいはＢ５判の状態で使用することができる。
（３）必要であれば携帯カメラなどを用いて記載情報のデジタル化が可能である。
（４）用紙は、記入する余地がなくなったときは、保持杆から取り外して、Ａ４判あるいはＢ５判の状態で既存のファイルに記録して保管できる。
【符号の説明】
【００２６】
１  表表紙            ２  紙類保持部
３  裏表紙            ４  基板
５  保持杆係止部      ６  保持杆固定部
７  保持杆            ４１  間隙
【図１】
0003175882.tif 000003
【図２】
0003175882.tif 000004
【図３】
0003175882.tif 000005
【図４】
0003175882.tif 000006
【図５】
0003175882.tif 000007